(57)【要約】【課題】  金属蒸着層の腐食を防止し、良好な外観を維持することができるハーフミラー機能を備えた液晶ディスプレイの保護シートを得る。【解決手段】  基材シート２と、被着面側からの入射光を正反射し、かつ表面側からの入射光を透過するハーフミラーを形成する金属蒸着層３と、この金属蒸着層３に対して強い密着力を有する強粘着層４と、層を区分けするセパレート層５と、再剥離性を有しかつ前記強粘着層より粘着力の弱い弱粘着層６と、がこの順に順次積層されている保護シート１とする。  【選択図】      図１
2005326661.tif 000002
【特許請求の範囲】
【請求項１】
基材シートと、一方の面側からの入射光を正反射し、かつ他方の面側からの入射光を透過するハーフミラーを形成する金属蒸着層と、この金属蒸着層に対して永久接着された強粘着層と、層を区分けするセパレート層と、再剥離性を有する弱粘着層と、がこの順に順次積層されていることを特徴とする液晶ディスプレイの保護シート。
【請求項２】
前記セパレート層が、特定方向からの入射光を正反射させるような厚みで形成されている請求項１に記載の液晶ディスプレイの保護シート。
【請求項３】
基材シートと、一方の面側からの入射光を正反射し、かつ他方の面側からの入射光を透過するハーフミラーを形成する金属蒸着層と、この金属蒸着層に塗布されたオーバーコートインキからなるオーバーコート層と、再剥離性を有する弱粘着層と、がこの順に順次積層されていることを特徴とする液晶ディスプレイの保護シート。
【請求項４】
前記弱粘着層が再貼着性を有する請求項１〜３のいずれかに記載の液晶ディスプレイの保護シート。
【発明の詳細な説明】
【技術分野】
【０００１】
本発明は、液晶ディスプレイの表示窓の保護シートに関する。
【背景技術】
【０００２】
近年、携帯電話機や、ＰＤＡ、携帯ゲーム機器等の液晶ディスプレイを映し出す表示窓の損傷を防止するために、そこに貼り付けて使用する保護フィルムが市販されるようになっている。液晶ディスプレイの表示窓は、背景が写り込まないように低反射性となっているため、そのような保護フィルムにハーフミラー機能を付与したものがある。ハーフミラー機能とは、携帯電話の液晶ディスプレイの表示を消したときだけ、その表示窓が鏡となるものである。このような保護フィルムとして、基材フィルムにアルミニウム等を蒸着して金属蒸着層を形成することで、液晶のバックライトが点灯した状態では、液晶画面の表示を見ることができ、バックライトが消灯した状態では、内部から出る光量よりもその表示窓で反射する光量の方が多いようにして鏡として使用することができるようにしたものがある（例えば、特許文献１参照。）。
【特許文献１】特開２００３−５８０６７号公報（請求項１、段落番号０００８）
【発明の開示】
【発明が解決しようとする課題】
【０００３】
上記特許文献１に開示されている保護シートは、例えば、携帯電話機の表示窓への貼り付けを失敗したときに、その表示窓へ貼り直すことができるように弱粘着性を有する粘着剤を塗布することが一般的に行われている。しかしながら、この粘着剤は弱粘着性であるがゆえに、金属蒸着が施された基材シートへも弱粘着性を示す。従って、基材シートと粘着剤との間から、汗等の体からの汚れがしみ込んでしまうことがある。このような汚れのしみ込みは、図６に示すように、特に保護シート２０の角部２０ａあたりから発生し、金属蒸着層の金属を腐食させてしまう。この腐食による変色２１が除々に進行していき、表示窓２２の外観が悪くなるという問題がある。
したがって、金属蒸着層を保護するために、この層にホットメルト型の軟質樹脂シートを貼り付けることも考えられる。しかし、このような軟質樹脂シートを金属蒸着層に貼り付けるためには、軟質樹脂シートを軟化点付近（例えば１８０℃）まで加熱しなければならず、金属蒸着層を傷めるおそれがある。
そこで、本発明はこのような従来の問題点に鑑み、金属蒸着層の腐食を防止し、良好な外観を維持することができるハーフミラー機能を備えた液晶ディスプレイの保護シートを得ることを目的とする。
【課題を解決するための手段】
【０００４】
本発明は上記目的を達成するために次の技術的手段を講じた。
すなわち、本発明は、基材シートと、一方の面側からの入射光を正反射し、かつ他方の面側からの入射光を透過するハーフミラーを形成する金属蒸着層と、金属蒸着層に永久接着された強粘着層と、層を区分けするセパレート層と、再剥離性を有する弱粘着層と、がこの順に順次積層されていることを特徴とする。
この場合、基材シート、金属蒸着層、強粘着層、セパレート層、弱粘着層の順に積層された保護シートが構成されているので、従来のように金属蒸着が施された基材シートに弱粘着層が直接設けられているのではなく、強粘着層、セパレート層を介して弱粘着層が設けられている。従って、金属蒸着層に対して永久接着された強粘着層が、金属蒸着層へ密着してこれを覆うことにより、汗等の汚れが金属蒸着層と強粘着層との間にしみ込むのが防止され、この汚れによる金属蒸着層の腐食が防止される。また、汚れが被着面（表示窓）と保護シート（弱粘着層）との間に浸入しても、セパレート層があるのでこの汚れが金属蒸着層に達することがない。さらに、強粘着剤は、非加熱の常温下で金属蒸着層に塗布することができるので、金属蒸着層を傷めることがない。
【０００５】
上記の本発明において、前記セパレート層が、特定方向からの入射光を正反射させるような厚みで形成されていることが好ましい。
この場合、セパレート層を例えば斜めからの入射光を正反射するような厚みで形成することにより、液晶ディスプレイの表示窓を横から覗いても、そこに映し出されている液晶表示を見ることができない。これにより、本発明にかかる保護シートを表示窓に貼り付けることで、その表示窓への覗き見が防止される。
【０００６】
また、本発明は、基材シートと、一方の面側からの入射光を正反射し、かつ他方の面側からの入射光を透過するハーフミラーを形成する金属蒸着層と、この金属蒸着層に塗布されたオーバーコートインキからなるオーバーコート層と、再剥離性を有する弱粘着層と、がこの順に順次積層されていることを特徴とする。
この場合、基材シート、金属蒸着層、オーバーコート層、弱粘着層が、この順に積層された保護シートが構成されるので、オーバーコート層を介して弱粘着層が設けられている。従って、金属蒸着層に対して強い密着力を有するオーバーコート層が、金属蒸着層へ密着してこれを覆うことにより、汗等の汚れが金属蒸着層とオーバーコート層との間にしみ込むのが防止され、当該汚れによる金属蒸着層の腐食が防止される。また、基材シートに金属を蒸着した後、インキ性状のオーバーコート剤を塗布し、その上に弱粘着層をのせればよいので、本発明に係る保護シートを簡易に製作することができコストを抑えることができる。
【０００７】
さらに、上記の本発明において、前記弱粘着層が再貼着性を有することが好ましい。この場合、上記液晶ディスプレイの保護シートを、表示窓からはがした後、もう一度貼り付けることができるので、貼り直しをする場合等に便利である。
【発明の効果】
【０００８】
本発明によれば、金属蒸着層にこれに強い密着力を有する層を密着させて覆うことで、当該金属蒸着層への汚れのしみ込みを防止したので、金属蒸着層の腐食を防止し良好な外観を維持することができる。
【発明を実施するための最良の形態】
【０００９】
以下、図面を参照しつつ、本発明の第１実施形態を説明する。
図１は、本実施形態の拡大断面図である。液晶ディスプレイの保護シート１（以下、保護シートという）は、基材シート２と、金属蒸着層３と、強粘着層４と、セパレート層５と、弱粘着層６と、がこの順に順次積層されることにより構成されたものである。
基材シート２には、ディスプレイの保護シート用に用いられる公知の高分子フィルムが採用され、本実施形態では、ポリエチレンテレフタレート（ＰＥＴ）が採用されている。またこれ以外にも、その他のポリエチレン、ポリプロピレンなどのポリオレフィン類などが主に挙げられるが、必ずしもこれらに限定されるものではなく、ディスプレイの表示窓に貼ることができる可撓性、当該表示窓を保護できる程度の硬度等を有するものであれば使用できる。また、その厚みは、材質により変更されるが、本実施形態で採用されているＰＥＴフィルムの場合であれば、０．０５〜０．１０ｍｍくらいである。この基材シートにより、液晶ディスプレイの表示窓が損傷しないように外部からの衝撃等から保護されている。
【００１０】
基材シート２の図１下側（以下、被着面側といい、この反対側を表面側という。）には、金属蒸着層３が設けられている。この金属蒸着層３は、表面側からの入射光を正反射し、かつ被着面側からの入射光を透過するハーフミラー機能を保護シートに付与するために設けられているものである。金属蒸着層３に用いる金属としては、金、銀、銅、アルミニウム、クロム、ニッケル、チタン、スズ等の金属、金属合金、金属化合物が挙げられる。特にアルミニウムは蒸着の容易さ、鏡面反射性、経済性から好適である。金属蒸着法としては真空蒸着法、スパッタリング法、イオンプレーティング法等が好ましく用いられる。また、金属蒸着層３は、蒸着工程における膜厚管理や、金属光沢色の濃さ、他の層と当該金属蒸着層３との密着性等の関係から適当な膜厚に調整されている。
【００１１】
金属蒸着層３の被着面側には、図に示すように強粘着層４が設けられている。この強粘着層４は、金属蒸着層３に強粘着剤を塗布することにより形成されているものであり、金属蒸着面３ａに永久接着されてこれを覆っている。
強粘着剤としては、金属蒸着面３ａ及びセパレートフィルム５（後述）に永久接着できるものが採用されており、例えばアクリル系粘着剤、ゴム系粘着剤、酢酸ビニル系粘着剤、ウレタン系粘着剤などが挙げられる。例えば、一液型のアクリル系粘着剤として、東洋インキ社製の品番ＢＰＳ８１７０を使用することができる。なお、この強粘着剤は、後述の弱粘着剤よりも強い粘着力を有するものであり、この強粘着層４により、後述のセパレートフィルム５が金属蒸着面３ａに永久接着されている。また、強粘着剤は、常温下で金属蒸着層３へ塗布されるので、従来のようにホットメルト型のプラスチックフィルムを貼り付ける場合のように、金属蒸着層３が高温下に晒されることがなく、金属蒸着層３を傷めることがない。
【００１２】
強粘着層４の被着面側には、図に示すようにセパレート層５が設けられており、このセパレート層５が、当該強粘着層４と弱粘着層６とを区分けしている。このセパレート層５は、高分子フィルムからなるセパレートフィルム５により形成されているものであり、本実施形態では、ポリエチレンテレフタレートが採用されている。なお、セパレートフィルム５は、これに限られるものではなく、例えば、その他のポリエステル類、ポリエチレン、ポリプロピレンなどのポリオレフィン類、ポリ塩化ビニリデンなどのビニル系樹脂、ポリアミド類などの各種プラスチックからなるフィルムが挙げられる。なお、必ずしもこれらに限定されるものではなく、可撓性や接着剤に含まれる溶剤への耐性等を備えたものであれば使用できる。
【００１３】
また、このセパレートフィルム５は、強粘着層４及び次に説明する弱粘着層６に対する剥離が起こらないように、これら両粘着層４，６に密着している。セパレートフィルム５の厚みは、０．０５〜０．２５ｍｍとなっており、保護シート１の厚みが増すことで、斜めからの入射光が正反射するようになっている。これにより、液晶ディスプレイの表示窓を横から覗いても、そこに映し出されている液晶表示を見ることができない。したがって、保護シート１を例えば携帯電話機に使用した場合には、覗き見を防止することができるいわゆるメールブロックとしての機能を付与している。
図１に示すように、セパレート層５の被着面側には、保護フィルム１の貼着面１ａを形成する弱粘着層６が設けられている。この弱粘着層６は、強粘着層４より弱い粘着力を有する弱粘着剤からなり、液晶ディスプレイの表示窓（被着面）への再剥離性及び再貼着性を有している。弱粘着剤としては、透明性、耐光性の点からアクリル系粘着剤が採用されているが、これに限られるものではなく、前記特性を有するものであれば、例えばゴム系粘着剤、酢酸ビニル系粘着剤、ウレタン系粘着剤、シリコーン系粘着剤などを使用することもできる。例えば、二液型のアクリル系粘着剤として、東洋インキ社製の品番ＢＰ３８４１を使用することができる。なお、弱粘着剤及び前記強粘着剤は、ナイフコーター、バーコーター、エアーナイフコーター等の塗布装置により塗布される。
【００１４】
弱粘着層６は、強粘着層４よりも弱い粘着力を有するので、保護シート１が被着面から剥がされたときは、当該弱粘着層６と被着面との間で剥離が起こるようになっている。また、再剥離性及び再貼着性を有することから、被着面に保護シート１を貼り付けた後、当該保護シート１を損傷せずにこれを剥がすことができ、さらに、一旦剥がされた保護シート１を、再度、貼着して使用することができる。このため、保護シート１の貼り付けに失敗した場合などに便利である。
なお、上述した基材シート２，強粘着層４、セパレート層５、弱粘着層６はいずれも透明であり、保護シート１が被着体に貼り付けられた場合に、液晶ディスプレイの表示窓に映し出される液晶表示を表面側から見ることができるようになっている。
また、図示しないが、弱粘着層６のさらに被着面側には、使用する際に保護シート１から剥離除去される剥離シートが設けられる。弱粘着層６を覆う剥離シートとしては、特に限定されるものではなく、ポリエチレンテレフタレートフィルム、ポリプロピレンフィルム、グラシン紙のような高密度原紙、クラフト紙または上質紙にポリエチレンフィルム等をラミネートした紙が適宜使用される。
【００１５】
以上のように構成された保護シート１は、適当な寸法に切断されて、例えば図２に示すように携帯電話機１０に使用される。この場合、保護シート１は、液晶ディスプレイの表示窓１１に合わせるようにして貼り付けられる。図３に示すように、保護シート１が表示窓１１に貼られた状態で、携帯電話機１０の電源が切られてディスプレイが消灯すると、金属蒸着層３のハーフミラー機能により、表面側（見る側）からの入射光が正反射されて、当該表示窓１１が鏡となる。従って、携帯電話機１０の電源を切るだけでその表示窓１１を鏡として使用することができ、別途鏡を持ち歩く必要がなくなるので利便性が高い。一方、携帯電話１０の電源をつけて、表示窓１１に液晶ディスプレイの表示が現れた場合には、保護シート１は液晶ディスプレイ側（被着面側）からの入射光を透過することができ、液晶ディスプレイの表示を見ることができる。
【００１６】
また、本実施形態の保護シート１は、基材シート２、金属蒸着層３、強粘着層４、セパレート層５、弱粘着層６の順に積層されているので、従来のように金属蒸着が施された基材シートに弱粘着層が直接設けられているのではなく、強粘着層４、セパレート層５を介して弱粘着層６が設けられている。従って、金属蒸着面３ａが、これに永久接着している強粘着層４で覆われているので、例えば携帯電話機１０の使用者の汗等の汚れが、金属蒸着層３と強粘着層４との界面７に入り込む余地がない。また、使用者の汗等の汚れが、表示窓１１（被着面）と保護シート１（弱粘着層６）との間に浸入し弱粘着層を透過してもセパレート層５でとめられるので、当該汚れが金属蒸着面３ａに達することがない。これにより、金属蒸着層３が使用者の汗等の汚れに侵されることがなく、金属蒸着層３の腐食が防止され、表示窓１１の良好な外観が維持される。
【００１７】
図４は、本発明に係る第２実施形態の保護シート１２を示す拡大断面図である。本実施形態の保護シート１２が、前記実施形態と異なる点は、基材シート２に施された金属蒸着層３と弱粘着層６との間にオーバーコート層１３を設けている点である。図に示すように、本実施形態に保護シート１２は、基材シート２と、金属蒸着層３と、オーバーコート層１３と、弱粘着層６と、がこの順に順次積層されることにより構成されたものである。基材シート２及びこの基材シート２に施された金属蒸着層３、及び弱粘着層６は、前記実施形態と同じ素材で形成されたものでありその説明を省略する。図に示すように、金属蒸着層３の被着面側には、所要の膜厚を有するオーバーコート層１３が設けられている。このオーバーコート層１３は、金属蒸着層３に対して強い密着力を有するオーバーコートインキからなるものであり、例えば十条ケミカル社製のレイキュアーＯＰ４３００を使用することができる。このオーバーコートインキは、硬化性、接着性、柔軟性、透明性等に優れたものであり印刷物のオーバーコート用に好適に使用されているものである。
【００１８】
オーバーコートインキは、基材シート２に施された金属蒸着面３ａに塗布された後、乾燥されてオーバーコートクリアー（オーバーコート層１３）となり、これが当該金属蒸着面３ａへ強い密着力で密着している。オーバーコート層１３を形成した後、その表面に弱粘着剤を塗布して弱粘着層６を形成する。これにより、オーバーコート層１３が金属蒸着面３ａに強い密着力で密着してこれを覆い、金属蒸着層３とオーバーコート層１３との界面８に使用者の汗等の汚れが浸入する余地がなくなる。従って、当該汚れが金属蒸着面３ａに達することがなくなり、金属蒸着層３の腐食が防止されるので、表示窓１１の良好な外観を維持することができる。また、基材シート２に金属を蒸着した後、オーバーコートインキを塗布し、その上に弱粘着層６をのせればよいので、本発明に係る保護シート１を簡易に製作することができコストを抑えることができる。
【００１９】
なお、上記実施形態は例示であって制限的なものではない。例えば、金属蒸着層３と、強粘着層４あるいはオーバーコート層１３との間の密着力をさらに向上させるために、熱可塑性樹脂を主成分とするアンカー層を設けてもよい。これにより、金属蒸着層３が汗等の汚れからより保護され、長期にわたり表示窓１１の良好な外観を維持することができる。なお、本発明の保護シート１は、携帯電話機１０だけでなく、パーソナルコンピュータ、ＰＤＡ、携帯ゲーム機等その他の液晶ディスプレイの表示窓に貼り付けて使用することもできる。
【図面の簡単な説明】
【００２０】
【図１】第１実施形態の保護シートの拡大断面図である。
【図２】同保護シートが携帯電話機に貼り付けられる状態を示す正面図である。
【図３】同保護シートが携帯電話機に貼り付けられた状態を示す斜視図である。
【図４】第２実施形態の保護シートの拡大断面図である。
【図５】携帯電話機に従来の保護シートが貼り付けられている状態を示す部分拡大図である。
【符号の説明】
【００２１】
１    液晶ディスプレイの保護シート
２    基材シート
３    金属蒸着層
４    強粘着層
５    セパレート層
６    弱粘着層
１３  オーバーコート層
【図１】
2005326661.tif 000003
【図２】
2005326661.tif 000004
【図３】
2005326661.tif 000005
【図４】
2005326661.tif 000006
【図５】
2005326661.tif 000007